(57)【要約】【課題】分割型テープ心線を簡単に任意のＳＵＢ−ＵＮＩＴに分割する。【解決手段】  並列に配置した複数の光ファイバ素線３を第１層の一括被覆樹脂５で被覆した第１テープ心線７を分割単位として第１のＳＵＢ−ＵＮＩＴを構成し、この第１のＳＵＢ−ＵＮＩＴを複数並列に配置して分割可能に第２層の一括被覆樹脂１３で一体に被覆して第２のＳＵＢ−ＵＮＩＴを構成し、少なくとも二層以上のｎ層の一括被覆樹脂でｎ種類のＳＵＢ−ＵＮＩＴ単位で分割可能に一体に被覆して構成される分割型テープ心線である。前記一括被覆樹脂のｎ層目の一括被覆樹脂と（ｎ−１）層目の一括被覆樹脂との間の密着力をＦ（ｎ／ｎ−１）としたとき、前記一括被覆樹脂の各層間の密着力は、内層側より外層側の方が低くされている。テープ厚み方向にしごくと、容易に外層のみを剥離できるので、最外層から１層ずつ順に剥がして任意のＳＵＢ−ＵＮＩＴへ分割できる。【選択図】図１
2005114750.tif 000002
【特許請求の範囲】
【請求項１】
並列に配置した複数の光ファイバ素線を第１層の一括被覆樹脂で被覆した第１テープ心線を分割単位として第１のＳＵＢ−ＵＮＩＴを構成し、この第１のＳＵＢ−ＵＮＩＴを複数並列に配置して分割可能に第２層の一括被覆樹脂で一体に被覆して第２のＳＵＢ−ＵＮＩＴを構成し、少なくとも二層以上のｎ層の一括被覆樹脂でｎ種類のＳＵＢ−ＵＮＩＴ単位で分割可能に一体に被覆して構成すると共に、
前記一括被覆樹脂のｎ層目の一括被覆樹脂と（ｎ−１）層目の一括被覆樹脂との間の密着力をＦ（ｎ／ｎ−１）としたとき、
前記一括被覆樹脂の各層間の密着力が、
Ｆ（ｎ／ｎ−１）≦Ｆ（ｎ−１／ｎ−２）≦…≦Ｆ（２／１）
の条件を有することを特徴とする分割型テープ心線。
【請求項２】
前記一括被覆樹脂の各層間の密着力を、各層を構成する一括被覆樹脂に加えるシリコン添加剤の添加濃度を変えて調整することを特徴とする請求項１記載の分割型テープ心線。
【請求項３】
並列に配置した複数の光ファイバ素線を第１層の一括被覆樹脂で被覆した第１テープ心線を分割単位として第１のＳＵＢ−ＵＮＩＴを構成し、この第１のＳＵＢ−ＵＮＩＴを複数並列に配置して分割可能に第２層の一括被覆樹脂で一体に被覆して第２のＳＵＢ−ＵＮＩＴを構成し、少なくとも二層以上のｎ層の一括被覆樹脂でｎ種類のＳＵＢ−ＵＮＩＴ単位で分割可能に一体に被覆して構成すると共に、前記一括被覆樹脂のｎ層目の一括被覆樹脂と（ｎ−１）層目の一括被覆樹脂との間の密着力をＦ（ｎ／ｎ−１）としたとき、前記一括被覆樹脂の各層間の密着力が、
Ｆ（ｎ／ｎ−１）≦Ｆ（ｎ−１／ｎ−２）≦…≦Ｆ（２／１）
の条件を有して構成される分割型テープ心線と、
この分割型テープ心線の外周に配置した抗張力体と、この抗張力体の周囲を被覆した外被と、から構成してなることを特徴とする光ファイバテープコード。
【請求項４】
前記一括被覆樹脂の各層間の密着力を、各層を構成する一括被覆樹脂に加えるシリコン添加剤の添加濃度を変えて調整することを特徴とする請求項３記載の光ファイバテープコード。
【請求項５】
一枚または複数枚の分割型テープ心線を備えると共に前記分割型テープ心線の外周をケーブルシースで被覆した光ファイバケーブルにおいて、
前記各分割型テープ心線は、並列に配置した複数の光ファイバ素線を第１層の一括被覆樹脂で被覆した第１テープ心線を分割単位として第１のＳＵＢ−ＵＮＩＴを構成し、この第１のＳＵＢ−ＵＮＩＴを複数並列に配置して分割可能に第２層の一括被覆樹脂で一体に被覆して第２のＳＵＢ−ＵＮＩＴを構成し、少なくとも二層以上のｎ層の一括被覆樹脂でｎ種類のＳＵＢ−ＵＮＩＴ単位で分割可能に一体に被覆して構成されると共に、
前記一括被覆樹脂のｎ層目の一括被覆樹脂と（ｎ−１）層目の一括被覆樹脂との間の密着力をＦ（ｎ／ｎ−１）としたとき、
前記一括被覆樹脂の各層間の密着力が、
Ｆ（ｎ／ｎ−１）≦Ｆ（ｎ−１／ｎ−２）≦…≦Ｆ（２／１）
の条件を有することを特徴とする光ファイバケーブル。
【請求項６】
前記一括被覆樹脂の各層間の密着力を、各層を構成する一括被覆樹脂に加えるシリコン添加剤の添加濃度を変えて調整することを特徴とする請求項５記載の光ファイバケーブル。
【請求項７】
並列に配置した複数の光ファイバ素線を第１層の一括被覆樹脂で被覆した第１テープ心線を分割単位として第１のＳＵＢ−ＵＮＩＴを構成し、この第１のＳＵＢ−ＵＮＩＴを複数並列に配置して分割可能に第２層の一括被覆樹脂で一体に被覆して第２のＳＵＢ−ＵＮＩＴを構成し、少なくとも二層以上のｎ層の一括被覆樹脂でｎ種類のＳＵＢ−ＵＮＩＴ単位で分割可能に一体に被覆して構成されると共に、前記一括被覆樹脂のｎ層目の一括被覆樹脂と（ｎ−１）層目の一括被覆樹脂との間の密着力をＦ（ｎ／ｎ−１）としたとき、前記一括被覆樹脂の各層間の密着力が、
Ｆ（ｎ／ｎ−１）≦Ｆ（ｎ−１／ｎ−２）≦…≦Ｆ（２／１）
の条件を有して構成される分割型テープ心線が、任意のＳＵＢ−ＵＮＩＴに分割される際は、
前記分割型テープ心線をテープ厚み方向にしごくことにより、最外層とその内側層との層間剥離のみを生じさせてＳＵＢ−ＵＮＩＴに分割し、分割されたＳＵＢ−ＵＮＩＴに対しても前記と同様の手順を繰り返して行い、最外層から一層ずつ順次剥離していくことを特徴とする分割型テープ心線の分割方法。
【発明の詳細な説明】
【技術分野】
【０００１】
この発明は、分割型テープ心線および前記分割型テープ心線を用いた光ファイバテープコード、光ファイバケーブル並びに前記分割型テープ心線の分割方法に関する。
【背景技術】
【０００２】
ＳＵＢ−ＵＮＩＴ単位に分割可能な多心テープ心線（以下、「分割型テープ心線」という）としては、例えば日本国内で最も多く光ファイバケーブルに実装される４心単位に分割可能な８心光ファイバテープ心線（以下、「８心テープ心線」という）がある。４心単位とは、４心光ファイバテープ心線（以下、「４心テープ心線」という）の単位のことである。なお、４心及び８心テープ心線は、光ネットワークにおける幹線系、配線系及びビル内配線用の光ファイバケーブルの経済性及び取扱性を向上せしめることに寄与する点で優れるものである。
【０００３】
上記のように８心テープ心線に代表される分割型のテープ心線では、所定の心数単位、例えば４心毎に分割する際には内部の着色素線がむき出しになるようなことの無いような分割特性を有する必要がある。
【０００４】
このために、エッジボンド型、カプセル型等と呼ばれる所定の分割心数単位での被覆と、分割心数単位を連結する接着部（エッジボンド型）、一括被覆（カプセル型）と呼ばれる二層被覆構造が採用されている。
【０００５】
例えば、図９を参照するに、エッジボンド型８心テープ心線１０１は、２枚の４心テープ心線１０３がそれぞれ連結する側のコーナーにエッジ部１０５が設けられ、このエッジ部１０５に接着剤１０７を流し込んで連結される構成である。
【０００６】
一方、カプセル型８心テープ心線１０９は、図１０に示されているように２枚の４心テープ心線１０３が連結用樹脂としての例えば８心一括ＵＶ樹脂１１１によって被覆されて連結されている（例えば、特許文献１参照）。
【０００７】
なお、上記の４心テープ心線１０３は４本の光ファイバ素線１１３が一括被覆樹脂としての例えば４心一括ＵＶ樹脂１１５で被覆されたもので、各光ファイバ素線１１３は、例えば１２５μｍφの石英ガラス１１７の外周にＵＶ樹脂１１９で２５０μｍφに被覆されたものである。
【０００８】
さらに、ユーザ系の配線及び各加入者宅への引き込み線は１心もしくは２心の光ケーブルが用いられているので、上記の分割型テープ心線の８心テープ心線１０１，１０９から単心もしくは４心テープ心線１０３に分割、分離する必要がある。したがって、光ネットワークを安価に実現するには、単心ないしは４心テープ心線１０３の分割を効率良くしかも低コストで行うことが求められる。
【０００９】
図１１を参照するに、上記の分割型テープ心線は、多数枚が光ファイバケーブル１２１の内部に積層されている。例えば、光ファイバケーブル１２１は、スロットロッド１２３の中心に備えた抗張力体１２５とその周囲に配置された複数のスロット溝１２７内に複数層の分割型テープ心線が集合され、スロットロッド１２３の外周に押え巻線としての例えば金属テープ１２９が縦添えして巻かれ、この金属テープ１２９の外周にシース樹脂などの外被１３１でシースされて構成される。
【００１０】
上記の８心テープ心線１０１，１０９から単心に分離された光ファイバ素線１１３は、ユーザ系の配線ケーブル１３３に内蔵された複数の４心テープ心線１０３の各単心の光ファイバ素線１１３と単心線融着接続部１３５により接続される。なお、ユーザ系の配線ケーブル１３３は、ほぼ中央に配置される複数の４心テープ心線１０３と、この複数の４心テープ心線１０３の外側に対向する位置に配置された２本の抗張力体１３７と、この２本の抗張力体１３７を含めて複数の４心テープ心線１０３の外周を被覆するシース材１３９と、から構成されている。
【００１１】
上記の分割型テープ心線は、当該分割型テープ心線の幅方向の各分割心線の間の分割部に、例えば分割装置で剪断応力が与えられることにより、各分割心線に分割されて使用される。
【００１２】
なお、分割型テープ心線が分割部からずれることなく正常な位置で分割容易とするために、分割型テープ心線自体に工夫がなされている。例えば、前述したカプセル型８心テープ心線１０９の場合、一括被覆樹脂と連結用樹脂との密着力、ヤング率、伸び率を規定して分割を容易にする考慮がなされている（例えば、特許文献１参照）。
【００１３】
また、従来の分割型テープ心線においては、分割される心数単位、すなわちＳＵＢ−ＵＮＩＴ単位で被覆が施された後に、前述したような一層で一括被覆されて８心テープ心線にしたたものだけでなく、近年では、ケーブル構造の多様化に伴い、分割される心数単位が複数になることもあるために、複数の層で一括被覆されて所定の心数のテープ心線となるものがある。
【００１４】
その一例として、図１２に示されているように、４心又は８心への分割が可能な分割型１６心テープ心線１４１がある。この分割型１６心テープ心線１４１は、４心単位の光ファイバ素線１１３が、一旦、４心一括ＵＶ被覆１１５により４心テープ心線１０３に４心ＳＵＢ−ＵＮＩＴ化され、この４心ＳＵＢ−ＵＮＩＴ１０３が二枚並列に並べられて８心一括ＵＶ樹脂１１１により８心テープ心線１０９に８心ＳＵＢ−ＵＮＩＴ化される。さらに、８心ＳＵＢ−ＵＮＩＴ１０９が二枚並列に並べられた後に、１６心一括ＵＶ樹脂１４３により被覆されて分割型１６心テープ心線１４１となる。
【特許文献１】特開平１０−１９７７６７号公報
【発明の開示】
【発明が解決しようとする課題】
【００１５】
ところで、前述した図１０の分割型８心テープ心線１０９は、構造的には４心単位に分割可能であるが、分割部からずれることなく、正常な位置で分割することは簡単ではない。まして、前述した図１２の分割型１６心テープ心線１４１では、構造的には４心単位、又は４心二枚の８心単位に分割可能であるが、４心ＳＵＢ−ＵＮＩＴを含むテープ化ＵＶ樹脂被覆層１１５，１１１，１４３が３層もあり、かつ４心ＳＵＢ−ＵＮＩＴは幅１．１ｍｍ以下と非常に小さく、任意の分割単位に分割を行うことが困難であるという問題点があった。さらに、上記のテ−プかＵＶ樹脂被覆層が多層になると、より一層分割を行うことが難しいものである。
【００１６】
この発明は上述の課題を解決するためになされたものである。
【課題を解決するための手段】
【００１７】
この発明の分割型テープ心線は、並列に配置した複数の光ファイバ素線を第１層の一括被覆樹脂で被覆した第１テープ心線を分割単位として第１のＳＵＢ−ＵＮＩＴを構成し、この第１のＳＵＢ−ＵＮＩＴを複数並列に配置して分割可能に第２層の一括被覆樹脂で一体に被覆して第２のＳＵＢ−ＵＮＩＴを構成し、少なくとも二層以上のｎ層の一括被覆樹脂でｎ種類のＳＵＢ−ＵＮＩＴ単位で分割可能に一体に被覆して構成すると共に、
前記一括被覆樹脂のｎ層目の一括被覆樹脂と（ｎ−１）層目の一括被覆樹脂との間の密着力をＦ（ｎ／ｎ−１）としたとき、
前記一括被覆樹脂の各層間の密着力が、
Ｆ（ｎ／ｎ−１）≦Ｆ（ｎ−１／ｎ−２）≦…≦Ｆ（２／１）
の条件を有することを特徴とするものである。
【００１８】
この発明の分割型テープ心線は、前記分割型テープ心線において、前記一括被覆樹脂の各層間の密着力を、各層を構成する一括被覆樹脂に加えるシリコン添加剤の添加濃度を変えて調整することが好ましい。
【００１９】
この発明の光ファイバテープコードは、並列に配置した複数の光ファイバ素線を第１層の一括被覆樹脂で被覆した第１テープ心線を分割単位として第１のＳＵＢ−ＵＮＩＴを構成し、この第１のＳＵＢ−ＵＮＩＴを複数並列に配置して分割可能に第２層の一括被覆樹脂で一体に被覆して第２のＳＵＢ−ＵＮＩＴを構成し、少なくとも二層以上のｎ層の一括被覆樹脂でｎ種類のＳＵＢ−ＵＮＩＴ単位で分割可能に一体に被覆して構成すると共に、前記一括被覆樹脂のｎ層目の一括被覆樹脂と（ｎ−１）層目の一括被覆樹脂との間の密着力をＦ（ｎ／ｎ−１）としたとき、前記一括被覆樹脂の各層間の密着力が、
Ｆ（ｎ／ｎ−１）≦Ｆ（ｎ−１／ｎ−２）≦…≦Ｆ（２／１）
の条件を有して構成される分割型テープ心線と、
この分割型テープ心線の外周に配置した抗張力体と、この抗張力体の周囲を被覆した外被と、から構成してなることを特徴とするものである。
【００２０】
この発明の光ファイバテープコードは、前記光ファイバテープコードにおいて、前記一括被覆樹脂の各層間の密着力を、各層を構成する一括被覆樹脂に加えるシリコン添加剤の添加濃度を変えて調整することが好ましい。
【００２１】
この発明の光ファイバケーブルは、一枚または複数枚の分割型テープ心線を備えると共に前記分割型テープ心線の外周をケーブルシースで被覆した光ファイバケーブルにおいて、
前記各分割型テープ心線は、並列に配置した複数の光ファイバ素線を第１層の一括被覆樹脂で被覆した第１テープ心線を分割単位として第１のＳＵＢ−ＵＮＩＴを構成し、この第１のＳＵＢ−ＵＮＩＴを複数並列に配置して分割可能に第２層の一括被覆樹脂で一体に被覆して第２のＳＵＢ−ＵＮＩＴを構成し、少なくとも二層以上のｎ層の一括被覆樹脂でｎ種類のＳＵＢ−ＵＮＩＴ単位で分割可能に一体に被覆して構成されると共に、
前記一括被覆樹脂のｎ層目の一括被覆樹脂と（ｎ−１）層目の一括被覆樹脂との間の密着力をＦ（ｎ／ｎ−１）としたとき、
前記一括被覆樹脂の各層間の密着力が、
Ｆ（ｎ／ｎ−１）≦Ｆ（ｎ−１／ｎ−２）≦…≦Ｆ（２／１）
の条件を有することを特徴とするものである。
【００２２】
この発明の光ファイバケーブルは、前記光ファイバケーブルにおいて、前記一括被覆樹脂の各層間の密着力を、各層を構成する一括被覆樹脂に加えるシリコン添加剤の添加濃度を変えて調整することが好ましい。
【００２３】
この発明の分割型テープ心線の分割方法は、並列に配置した複数の光ファイバ素線を第１層の一括被覆樹脂で被覆した第１テープ心線を分割単位として第１のＳＵＢ−ＵＮＩＴを構成し、この第１のＳＵＢ−ＵＮＩＴを複数並列に配置して分割可能に第２層の一括被覆樹脂で一体に被覆して第２のＳＵＢ−ＵＮＩＴを構成し、少なくとも二層以上のｎ層の一括被覆樹脂でｎ種類のＳＵＢ−ＵＮＩＴ単位で分割可能に一体に被覆して構成されると共に、前記一括被覆樹脂のｎ層目の一括被覆樹脂と（ｎ−１）層目の一括被覆樹脂との間の密着力をＦ（ｎ／ｎ−１）としたとき、前記一括被覆樹脂の各層間の密着力が、
Ｆ（ｎ／ｎ−１）≦Ｆ（ｎ−１／ｎ−２）≦…≦Ｆ（２／１）
の条件を有して構成される分割型テープ心線が、任意のＳＵＢ−ＵＮＩＴに分割される際は、
前記分割型テープ心線をテープ厚み方向にしごくことにより、最外層とその内側層との層間剥離のみを生じさせてＳＵＢ−ＵＮＩＴに分割し、分割されたＳＵＢ−ＵＮＩＴに対しても前記と同様の手順を繰り返して行い、最外層から一層ずつ順次剥離していくことを特徴とするものである。
【発明の効果】
【００２４】
以上のごとき課題を解決するための手段から理解されるように、この発明の分割型テープ心線によれば、分割型テープ心線をテープ厚み方向にしごくと、複数の光ファイバ素線の中心を結んだ線が剛性の中立線であるので、外側の層ほど大きな歪みを受け、層間の剥離が発生しやすくなる。この分割型テープ心線は一括被覆樹脂の各層間の密着力が、内層より外層にいくほど低くされているので、外層のみを剥離でき、この剥離した層は、更にしごきを加えられることにより、容易に破壊されて除去できる。したがって、最外層から１層ずつ順に剥がすことができ、任意のＳＵＢ−ＵＮＩＴへ容易に分割できる。
【００２５】
この発明の光ファイバテープコードによれば、この発明の分割型テープ心線をコード化したものであるので、上記の理由で、分割型テープ心線の最外層から１層ずつ順に剥がすことができ、任意のＳＵＢ−ＵＮＩＴへ容易に分割できる。しかも、抗張力が大きく且つ容易に分割可能な光ファイバテープコードである。
【００２６】
この発明の光ファイバケーブルによれば、この発明の分割型テープ心線を内蔵したものであるので、上記の理由で、任意のＳＵＢ−ＵＮＩＴへ容易に分割できることから、必要に応じた心数のＳＵＢ−ＵＮＩＴのテープ心線に分割でき、他のケーブルの同心数のテープ心線に容易に通着接続を行うことができる。
【発明を実施するための最良の形態】
【００２７】
以下、この発明の実施の形態について図面を参照して説明する。
【００２８】
図１を参照するに、この実施の形態に係る分割型テープ心線として、例えば分割型１６心テープ心線１について説明すると、この分割型１６心テープ心線１は、４心単位の光ファイバ素線３が、一旦、一括被覆樹脂としての例えば４心一括ＵＶ樹脂５で被覆されて４心テープ心線７にＳＵＢ−ＵＮＩＴ化される。
【００２９】
なお、上記の各光ファイバ素線３は、例えば１２５μｍφの石英ガラス９の外周にＵＶ樹脂１１で２５０μｍφに被覆されたものである。
【００３０】
さらに、上記の４心ＳＵＢ−ＵＮＩＴ７が二枚並列に並べられて一括被覆樹脂（連結用樹脂）としての例えば８心一括ＵＶ樹脂１３により８心テープ心線１５にＳＵＢ−ＵＮＩＴ化される。さらに、上記の８心ＳＵＢ−ＵＮＩＴ１５が二枚並列に並べられた後に、一括被覆樹脂（連結用樹脂）としての例えば１６心一括ＵＶ樹脂１７により被覆されて分割型１６心テープ心線１となる。
【００３１】
以上のように、分割型１６心テープ心線１では、４心ＳＵＢ−ＵＮＩＴ７を含むテープ化ＵＶ樹脂被覆層が３層ある。すなわち、１層目は４心一括ＵＶ樹脂５で、２層目は８心一括ＵＶ樹脂１３で、３層目は１６心一括ＵＶ樹脂１７である。
【００３２】
上記の分割型１６心テープ心線１を例にとって、この実施の形態の分割型テープ心線について総合的に説明すると、分割型テープ心線は、製造時には図１において下向きの矢印（↓）のように上から順に一括被覆樹脂（連結用樹脂）としての一括ＵＶ樹脂により連結されていくもので、一括被覆樹脂層の層数ｎが増えて行くにつれて、分割型テープ心線の全体の合計心線数は４心、８心、１６心、・・・２（ｎ＋１）心（ｎ層目の心数のとき）というように、分割単位の４心が２倍ずつ増加していくことになる。
【００３３】
この実施の形態では、４心テープ心線が分割単位としての第１のＳＵＢ−ＵＮＩＴに該当し、８心テープ心線が第２のＳＵＢ−ＵＮＩＴに該当し、以下、同様に、（ｎ−１）層目の一括ＵＶ樹脂で被覆されたテープ心線が第（ｎ−１）のＳＵＢ−ＵＮＩＴに該当し、ｎ層目の一括ＵＶ樹脂で被覆されたテープ心線が第ｎのＳＵＢ−ＵＮＩＴに該当する。
【００３４】
この発明の実施の形態の特徴をなす主要な点としては、ｎ層目の一括ＵＶ樹脂と（ｎ−１）層目の一括ＵＶ樹脂との間の密着力をＦ（ｎ／ｎ−１）としたとき、次式（１）の条件を有する分割型テープ心線とすることにある。
【００３５】
Ｆ（ｎ／ｎ−１）≦Ｆ（ｎ−１／ｎ−２）≦…≦Ｆ（２／１）……（１）式
ただし、ｎ＝３、４、５…（正整数）である。
【００３６】
上記構成の分割型テープ心線は、当該分割型テープ心線をテープ厚み方向にしごくと、剛性の中立線が複数の光ファイバ素線３の中心を結んだ線であるので、外側の層ほど大きな歪みを受け、層間の剥離が発生しやすくなる。この分割型テープ心線は、一括被覆樹脂の各層間の密着力が、内層側より外層側の方が低くされているので、テープ厚み方向にしごくだけで外層のみを剥離でき、この剥離した層は、更にしごきを加えられることにより、容易に破壊されて除去することが可能である。
【００３７】
ちなみに、必要に応じた任意の心数のテープ心線としてのＳＵＢ−ＵＮＩＴへ分割を行う際には、最外層から１層ずつ剥がれていくことが肝心である。もし最外層の被覆を剥がそうとして全ての被覆層が剥がれてしまうことは避けねばならない。しかし、この点においては、この発明の実施の形態の分割型テープ心線にしごきを加えて、外層を剥離、除去することにより、任意のＳＵＢ−ＵＮＩＴを取り出すことが可能である。
【００３８】
つまり、前述した図１の製造時の下向き矢印（↓）とは逆に、光ファイバケーブル融着接続時に分割していく場合、図１の分割時の上向き矢印（↑）に示されているように、最も外層の一括ＵＶ樹脂を順次剥離させることで、各段階のＳＵＢ−ＵＮＩＴあるいは単心光ファイバ素線３にまで、必要に応じて分割することが可能となる。
【００３９】
ｎ層の一括被覆樹脂で被覆される分割型テープ心線から任意のＳＵＢ−ＵＮＩＴまで分割するには、まず、分割型テープ心線のテープ厚み方向にしごくことにより、ｎ層目と（ｎ−１）層目の層間剥離を生じさせて（ｎ−１）層の一括被覆樹脂で被覆される第（ｎ−１）のＳＵＢ−ＵＮＩＴに分割される。さらに、この第（ｎ−１）のＳＵＢ−ＵＮＩＴをテープ厚み方向にしごくことにより、（ｎ−２）層の一括被覆樹脂で被覆される第（ｎ−２）のＳＵＢ−ＵＮＩＴに分割される。この動作を繰り返して、最も外層の一括ＵＶ樹脂を順次、剥離除去することにより任意のＳＵＢ−ＵＮＩＴを取り出すことになる。
【００４０】
次に、この発明の実施の形態の分割型テープ心線の分割効果を確認するために、前述した１６心テープ心線１において、層間の密着度を変化させた分割実験を行った。この時の密着度は、一括ＵＶ樹脂に加えたシリコン系添加剤の濃度を調整することにより調整した。
【００４１】
より詳しく説明すると、一括被覆樹脂（連結用樹脂）としての一括ＵＶ樹脂にシリコン系添加剤が加えられると、シリコンは一括被覆樹脂層の界面で高濃度となる傾向があるために、各ＳＵＢ−ＵＮＩＴの内側層と外側層との層間に見かけ上、シリコンの薄膜が存在することとなるので、各層間の界面での剥離が起こりやすくなる。シリコン系添加剤の濃度を変えることにより、各層間の界面での剥離性を変えることができ、言い換えれば、各層間の密着力を調整できる。
【００４２】
なお、試験サンプルとしての１６心テープ心線１へのしごきは、図２に示されているように人の指の爪１９で矢印方向にしごくものと、図３に示されているように１ｋｇｆの張力Ｔを加えた１６心テープ心線１に、１ｍｍφの鋼線２１で１２０°の角度を加えながらしごくものと、２通りの実験を行った。なお、各試験はサンプル数が１０である。その結果は、前者の場合は表１に示され、後者の場合は表２に示されている。
【表１】
2005114750.tif 000003
【表２】
2005114750.tif 000004
表１及び表２から分かるように、前述した（１）式の密着条件を満たすものでは、全てのサンプルが２通りの両試験において内層の８心ＳＵＢ−ＵＮＩＴ１５の８心一括ＵＶ樹脂１３を剥離させることなく、最外層の１６心一括ＵＶ樹脂１７を除去することが可能であった。
【００４３】
例えば、表１において、Ｆ（２／１）密着力は、２層目の８心一括UV樹脂１３と１層目の４心一括UV樹脂５の間の密着力を示し、Ｆ（３／２）密着力は、３層目の１６心一括UV樹脂１７と２層目の８心一括UV樹脂１３の間の密着力を示すものである。
【００４４】
密着条件Ａでは、Ｆ（２／１）密着力の相対値を１としたときのＦ（３／２）密着力の相対値が０．５であるので、前述した（１）式の密着条件を満たすものある。密着条件Ｂも同様に（１）式を満たす。このときの結果は、１０サンプルのうちで１〜２層の層間の剥離数は０（ゼロ）であり、２〜３層の層間の剥離数は１０であるので、全てのサンプルが最外層の１６心一括ＵＶ樹脂１７のみを除去できた。
【００４５】
また、密着条件Ｃでは、Ｆ（３／２）密着力の相対値が１であるので、１，２，３層の層間の密着力が同じであり、（１）式を満たすものである。しかし、このときの結果は、１０サンプルのうちで１〜２層の層間の剥離数は１であり、２〜３層の層間の剥離数は１０であるので、ある程度有効ではあるが、Ｆ（３／２）密着力の相対値が１より小さいことが望ましいことが分かる。
【００４６】
一方、密着条件Ｄでは、Ｆ（３／２）密着力の相対値が１．２であり、密着条件Ｅでは、Ｆ（３／２）密着力の相対値が１．５であるので、（１）式の密着条件を満たしていないものである。このときの結果は、１０サンプルのうちで１〜２層間の剥離数は１であり、２〜３層間の剥離数は密着条件Ｄのとき１で、密着条件Ｅのとき０（ゼロ）であるので、殆どのサンプルが最外層の１６心一括ＵＶ樹脂１７を除去できず、ＳＵＢ−ＵＮＩＴの１〜２層の層間剥離を発生させている。
【００４７】
また、表２の場合も、表１と殆ど同様の結果を示している。
【００４８】
以上の表１の結果は図４のグラフに示されており、表２の結果は図５のグラフに示されている。このグラフは上述した点を一目瞭然と示している。
【００４９】
次に、前述したこの発明の実施の形態の分割型テープ心線が用いられた光ファイバテープコードについて説明する。
【００５０】
図６を参照するに、この実施の形態に係る光ファイバテープコードとしての例えば１６心光ファイバテープコード２３は、前述した図１の分割型１６心テープ心線１を用いたものである。つまり、上記の１６心テープ心線１の外周に、抗張力体としての例えばアラミド繊維２５が配置されており、さらに、前記アラミド繊維２５の周囲がポリ塩化ビニル樹脂（ＰＶＣ）等の外被としての例えばシース材２７で被覆されている。
【００５１】
また、他の実施の形態に係わる光ファイバテープコードとしての分割型８心光ファイバテープコード２９も同様である。つまり、図７に示されているように、前述した図１の分割型８心テープ心線１５の外周に、抗張力体としての例えばアラミド繊維２５が配置されており、前記アラミド繊維２５の周囲がポリ塩化ビニル樹脂（ＰＶＣ）等のシース材２７で被覆されている。
【００５２】
以上のように、この実施の形態に係る光ファイバテープコードは、前述した実施の形態の分割型テープ心線の外周に、アラミド繊維２５などの抗張力体が配置され、前記アラミド繊維２５の周囲にポリ塩化ビニル樹脂（ＰＶＣ）等のシース材２７が被覆されたもので、抗張力があると共に容易に分割可能な分割型光ファイバテープコードとなる。
【００５３】
次に、前述したこの発明の実施の形態の分割型テープ心線および光ファイバテープコードが用いられた光ファイバケーブルについて説明する。
【００５４】
前述したこの発明の実施の形態の分割型テープ心線、および前記分割型テープ心線を用いた光ファイバテープコードは、光ファイバケーブルに使用されることによって、たとえ融着接続される光ケーブル同士が異なる構造であっても、単心光ファイバ素線３あるいは４心、あるいは８心、あるいは１６心レベルでの融着接続を可能にし、融通性が増すことになる。
【００５５】
例えば、図８を参照するに、上記の分割型テープ心線としての例えば分割型１６心テープ心線１は、多数枚が光ファイバケーブル３１の内部に積層されている。例えば、光ファイバケーブル３１は、スロットロッド３３の中心に備えた抗張力体３５とその周囲に配置された複数のスロット溝３７内に複数層の１６心テープ心線１が集合され、スロットロッド３３の外周に押え巻線としての例えば金属テープ３９が縦添えして巻かれ、この金属テープ３９の外周にシース樹脂などの外被４１でシースされて構成される。
【００５６】
分割型テープ心線としての１６心テープ心線１は、図１に示されているようにしごきを加えていくことにより、容易に２枚の８心テープ心線１５に分割され、前記各８心テープ心線１５から１６心一括ＵＶ樹脂１７が取り除かれた後、前記各８心テープ心線１５はユーザ系の配線ケーブル４３に内蔵された複数の８心テープ心線１５の各単心の光ファイバ素線３と８心テープ心線融着接続部４５により接続される。なお、ユーザ系の配線ケーブル４３は、ほぼ中央に配置される複数の８心テープ心線１５と、この複数の８心テープ心線１５の外側に対向する位置に配置された２本の抗張力体４７と、この２本の抗張力体４７を含めて複数の８心テープ心線１５の外周を被覆するシース材４９と、から構成されている。
【００５７】
以上のように、例えば多心の分割型テープ心線から必要に応じて分割されたＳＵＢ−ＵＮＩＴとして、例えば１６心ＳＵＢ−ＵＮＩＴは、他のケーブルの１６心テープ心線１と同様の構造であるので、相互融着接続が可能である。８心ＳＵＢ−ＵＮＩＴは８心テープ心線１５と同様の構造であり、４心ＳＵＢ−ＵＮＩＴは４心テープ心線７と同様の構造であるので、いずれも相互融着接続が可能である。
【００５８】
なお、この発明は前述した実施の形態に限定されることなく、適宜な変更を行うことによりその他の態様で実施し得るものである。
【図面の簡単な説明】
【００５９】
【図１】この発明の実施の形態の分割型テープ心線の製造過程および分割過程を示すもので、特に分割型１６心テープ心線の構成断面図である。
【図２】分割型テープ心線の剥離試験の概略説明図である。
【図３】分割型テープ心線の他の剥離試験の概略説明図である。
【図４】図２で示した剥離試験による結果を示すグラフである。
【図５】図３で示した剥離試験による結果を示すグラフである。
【図６】この発明の実施の形態の１６心光ファイバテープコードの構成断面図である。
【図７】この発明の実施の形態の８心光ファイバテープコードの構成断面図である。
【図８】この発明の実施の形態の１６心テープ心線が分割されてから光ケーブルに接続されるときの状態説明図である。
【図９】従来のおけるエッジボンド型８心テープ心線の構成断面図である。
【図１０】従来のおけるカプセル型８心テープ心線の構成断面図である。
【図１１】従来の８心テープ心線が分割されてから光ケーブルに接続されるときの状態説明図である。
【図１２】従来のおける分割型１６心テープ心線の構成断面図である。
【符号の説明】
【００６０】
１  分割型１６心テープ心線（分割型テープ心線）
３  光ファイバ素線
５  ４心一括ＵＶ樹脂（一括被覆樹脂）
７  分割型４心テープ心線（分割型テープ心線）
１３  ８心一括ＵＶ樹脂（一括被覆樹脂）
１５  分割型８心テープ心線（分割型テープ心線）
１７  １６心一括ＵＶ樹脂（一括被覆樹脂）
２３  １６心光ファイバテープコード（分割型光ファイバテープコード）
２５  アラミド繊維（抗張力体）
２７  シース材（外被）
２９  ８心光ファイバテープコード
３１  光ファイバケーブル
３５  抗張力体
３７  スロット溝
３９  金属テープ（押え巻線）
４１  外被
４３  配線ケーブル
４５  ８心テープ心線融着接続部
【図１】
2005114750.tif 000005
【図２】
2005114750.tif 000006
【図３】
2005114750.tif 000007
【図４】
2005114750.tif 000008
【図５】
2005114750.tif 000009
【図６】
2005114750.tif 000010
【図７】
2005114750.tif 000011
【図８】
2005114750.tif 000012
【図９】
2005114750.tif 000013
【図１０】
2005114750.tif 000014
【図１１】
2005114750.tif 000015
【図１２】
2005114750.tif 000016